(57)【要約】【課題】ユーザの個人情報を保管し、該ユーザが指定した相手先に該保管した個人情報を通知する個人情報管理システムを提供する。【解決手段】本発明の個人情報管理システム（１）は、ユーザ端末（３）及びショップ端末（４）とネットワーク（２）を介して通信自在であり、ユーザ端末から個人情報を受信し（Ｓ１）、記憶し（Ｓ２）、記憶した個人情報をショップ端末へ送信する要求をユーザ端末から受信し（Ｓ３）、前記受信した要求に従って個人情報をショップ端末へ送信する（Ｓ７）。【選択図】    図５
2004295751.tif 000002
【特許請求の範囲】
【請求項１】
ユーザ端末及びショップ端末とネットワークを介して通信自在である個人情報管理システムにおいて、
ユーザ端末から個人情報を受信する受信手段と
前記受信した個人情報を記憶する記憶手段と、
前記記憶した個人情報をショップ端末へ送信する要求をユーザ端末から受信する手段と、
前記受信した要求に従って、個人情報をショップ端末へ送信する手段と、
を具備することを特徴とする個人情報管理システム。
【請求項２】
ユーザ端末及びショップ端末とネットワークを介して通信自在である個人情報管理システムにおいて、
ユーザ端末から個人情報を受信する受信手段と
前記受信した個人情報を記憶する記憶手段と、
ショップ端末へ前記記憶した個人情報を送信する指示をユーザ端末から受信する手段と、
個人情報送信受付ＩＤを発行する手段と、
前記発行した個人情報送信受付ＩＤをショップ端末へ送信する手段と、
ショップ端末から前記個人情報送信受付ＩＤと個人情報送信要求を受信する手段と、
前記受信した個人情報送信受付ＩＤに該当する個人情報を検索しショップ端末へ送信する手段と、
を具備することを特徴とする個人情報管理システム。
【請求項３】
ユーザ端末及びショップ端末とネットワークを介して通信自在である個人情報管理システムにおける個人情報管理システムにおいて、
ユーザ端末から個人情報を受信する受信するステップと
前記受信した個人情報を記憶する記憶するステップと、
前記記憶した個人情報をショップ端末へ送信する要求をユーザ端末から受信するステップと、
前記受信した要求に従って、個人情報をショップ端末へ送信するステップと、を具備することを特徴とする個人情報管理方法。
【請求項４】
ユーザ端末及びショップ端末とネットワークを介して通信自在である個人情報管理システムにおける個人情報管理システムにおいて、
ユーザ端末から個人情報を受信するステップと
前記受信した個人情報を記憶するステップと、
ショップ端末へ前記記憶した個人情報を送信する指示をユーザ端末から受信するステップと、
個人情報送信受付ＩＤを発行するステップと、
前記発行した個人情報送信受付ＩＤをショップ端末へ送信するステップと、
ショップ端末から前記個人情報送信受付ＩＤと個人情報送信要求を受信するステップと、
前記受信した個人情報送信受付ＩＤに該当する個人情報を検索しショップ端末へ送信するステップと、
を具備することを特徴とする個人情報管理方法。
【請求項５】
第１のユーザ端末及び第２のユーザ端末とネットワークを介して通信自在である個人情報管理システムにおいて、
第１のユーザ端末から個人情報を受信する受信手段と
前記受信した個人情報を記憶する記憶手段と、
前記記憶した個人情報を第２のユーザ端末へ送信する要求を第１のユーザ端末から受信する手段と、
前記受信した要求に従って、前記記憶した個人情報を第２のユーザ端末へ送信する手段と、
を具備することを特徴とする個人情報管理システム。
【請求項６】
第１のユーザ端末及第２のユーザ端末とネットワークを介して通信自在である個人情報管理システムにおいて、
第１のユーザ端末から個人情報を受信する受信手段と
前記受信した個人情報を記憶する記憶手段と、
第２のユーザ端末へ前記記憶した個人情報を送信する指示を第１のユーザ端末から受信する手段と、
個人情報送信受付ＩＤを発行する手段と、
前記発行した個人情報送信受付ＩＤを第１のユーザ端末へ送信する手段と、
第２のユーザ端末から前記個人情報送信受付ＩＤと個人情報送信要求を受信する手段と、
前記受信した個人情報送信受付ＩＤに該当する個人情報を検索し第２のユーザ端末へ送信する手段と、
を具備することを特徴とする個人情報管理システム。
【請求項７】
第１のユーザ端末及び第２のユーザ端末とネットワークを介して通信自在である個人情報管理システムにおける個人情報管理方法において、
第１のユーザ端末から個人情報を受信する受信するステップと
前記受信した個人情報を記憶する記憶するステップと、
前記記憶した個人情報を第２のユーザ端末へ送信する要求を第１のユーザ端末から受信するステップと、
前記受信した要求に従って、前記記憶した個人情報を第２のユーザ端末へ送信するステップと、
を具備することを特徴とする個人情報管理方法。
【請求項８】
第１のユーザ端末及第２のユーザ端末とネットワークを介して通信自在である個人情報管理システムにおける個人情報管理方法において、
第１のユーザ端末から個人情報を受信するステップと
前記受信した個人情報を記憶するステップと、
第２のユーザ端末へ前記記憶した個人情報を送信する指示を第１のユーザ端末から受信するステップと、
個人情報送信受付ＩＤを発行するステップと、
前記発行した個人情報送信受付ＩＤを第１のユーザ端末へ送信するステップと、
第２のユーザ端末から前記個人情報送信受付ＩＤと個人情報送信要求を受信するステップと、
前記受信した個人情報送信受付ＩＤに該当する個人情報を検索し第２のユーザ端末へ送信するステップと、
を具備することを特徴とする個人情報管理方法。
【発明の詳細な説明】
【０００１】
【発明の属する技術分野】
本発明は、個人の情報を保管し、該個人が指定した相手に保管した個人情報を送信する個人情報管理システム及び個人情報管理方法に関する。
【０００２】
【従来の技術】
近年、インターネット介してネット上で商品の売買を行う電子商取引が普及してきている。この電子商取引では、買い手がインターネットを介して売り手のＷｅｂページにアクセスし、買いたい商品を注文すると共に、該商品の配達先住所や電話番号といった個人情報をインターネットを介して売り手側に送信する必要がある。このようなインターネットを介した電子商取引では、買い手が売り手に対してインターネットを介して個人情報を送信する必要があり、プライバシー面で買い手が抵抗感を覚える場合がある。
【０００３】
電子商取引において、買い手の住所等の個人情報を売り手に秘匿にしたまま、第三者から買い手に商品等を配送するアドレス情報保護方法が提案されている。（例えば、特許文献１参照）。
【０００４】
【特許文献１】
特開２００２−２１６０４８号公報
【０００５】
【発明が解決しようとする課題】
上述のような方法であれば、買い手の個人情報は売り手には伝達されないが、買い手に商品等を配送する第三者が取引に介在し、この第三者に該個人情報を伝達する必要があり取引形態が複雑になる。
【０００６】
また、上述の方法であれば、買い手の指定する相手先に対して、個人情報を伝達することができない。
【０００７】
本発明は、個人の情報を保管管理し、該個人が指定した相手に対して保管した個人情報を送信する個人情報管理システム及び個人情報管理方法を提供することを目的とする。
【０００８】
【課題を解決するための手段】
上記目的を達成するために、本発明は、ユーザ端末及びショップ端末とネットワークを介して通信自在である個人情報管理システムにおいて、ユーザ端末から個人情報を受信する受信手段と、前記受信した個人情報を記憶する記憶手段と、前記記憶した個人情報をショップ端末へ送信する要求をユーザ端末から受信する手段と、前記受信した要求に従って個人情報をショップ端末へ送信する手段とを具備する。
【０００９】
このような構成であれば、個人情報管理システムに個人情報を保管することができ、該保管された個人情報が、該個人の指示により個人情報管理システムからショップ端末に安全かつ確実に送信される。
【００１０】
また、本発明の個人情報管理システムは、個人情報をショップ端末へ送信する要求をユーザ端末から受信した際に、送信受付ＩＤを発行し、該送信受付ＩＤをショップ端末に送信し、ショップ端末からの送信受付ＩＤを伴う個人情報送信要求を受信して、ショップに対して個人情報を送信する構成であってもよい。
【００１１】
このような構成であれば、ショップ端末から個人情報送信要求を別途受信し、個人情報送信要求と共に受信した送信受付ＩＤによって該個人情報をショップ端末へ送信してよいか確認するので、個人情報のショップへの送信に対する信頼性がより高まる。
【００１２】
また、本発明は、第１のユーザ端末及び第２のユーザ端末とネットワークを介して通信自在である個人情報管理システムにおいて、第１のユーザ端末から個人情報を受信する受信手段と、前記受信した個人情報を記憶する記憶手段と、前記記憶した個人情報を第２のユーザ端末へ送信する要求を第１のユーザ端末から受信する手段と、前記受信した要求に従って前記記憶した個人情報を第２のユーザ端末へ送信する手段とを具備するものであってもよい。
【００１３】
このような構成により、第１のユーザは個人情報を個人情報管理システムに保管することができ、該保管した個人情報を第１のユーザが指定する第２のユーザに対して安全かつ確実に送信することができる。
【００１４】
【発明の実施の形態】
以下、図面を参照して、本発明の実施の形態について説明する。
【００１５】
（システムの全体構成）
図１は本発明の一実施の形態に係る個人情報管理システムが使用される環境を示す図である。金融機関等に設置された或いは金融機関等によって管理された個人情報管理システム１は、複数のユーザ端末３（３ａ、３ｂ、３ｃ・・・）及び複数のショップサーバ４（４ａ、４ｂ、４ｃ・・・）とネットワーク２を介して通信自在に接続されている。
【００１６】
個人情報管理システム１は、図２にて示されるように、全体の制御を司る制御部１１と、記憶部１２、表示部１３、操作入力部１４および通信部１５がシステムバス１６を介して接続され構成されている。このような構成において、記憶部１２は個人情報を記憶する個人情報データベース等各種データベースで構成される。表示部１３は各種の表示を行うためのものであり、液晶表示装置やブラウン管表示装置などから構成される。操作入力部１４は、例えばキーボードやマウス等により構成されており、各種情報を入力したり、個人情報管理システム１に対して所望の操作を指示入力するためのものである。通信部１５はネットワーク２と接続可能であり、ユーザ端末３及びショップサーバ（ショップ端末）４とネットワーク２を介して通信し、データの送受信を行うためのものである。
【００１７】
ネットワーク２は、インターネット、専用回線、或いは電話公衆回線網等である。
【００１８】
ユーザ端末３は、図３にて示されるように、全体の制御を司る制御部２１と、記憶部２２、表示部２３、操作入力部２４および通信部２５がシステムバス２６を介して接続され構成されている。このような構成において、通信部２５はネットワーク２と接続可能であり、個人情報保護システム１、他のユーザ端末及びショップサーバ４とネットワーク２を介して通信し、データの送受信を行うことができる。
【００１９】
ユーザ端末は携帯電話や携帯情報端末等の無線によって、ネットワーク２に接続された基地局（図示しない）を介して、ネットワーク２に接続する構成になっていてもよい。
【００２０】
ショップサーバ４は電子商取引を行う売り手側の管理システムでありＷｅｂページを管理する。ショップサーバ４はネットワーク２を介して個人情報保護システム１及びユーザ端末３と接続可能である。ショップサーバ４は、図４にて示されるように、全体の制御を司る制御部３１と、記憶部３２、表示部３３、操作入力部３４および通信部３５がシステムバス３６を介して接続され構成されている。このような構成において、通信部３５はネットワーク２と接続可能であり、個人情報管理システム１及びユーザ端末３とネットワーク２を介して通信し、データの送受信を行うことができる。
【００２１】
（第１の実施形態）
前述のような構成において、第１の実施形態に係る個人情報管理システム１の動作を図５に示すフローチャートを参照して説明する。第１の実施形態は、電子商取引を行う場合であり、ユーザが買い手、ショップが売り手になる。
【００２２】
金融機関等の個人情報管理システム１の管理運営主体は、予め買い手であるユーザとの間で個人情報の保管契約を結び、ユーザに対して、個人情報管理システム１にアクセスするための、ユーザ名、ユーザＩＤ、パスワード等を発行する。
【００２３】
また、ユーザの名前、住所、電話番号、電子メールアドレス等の基本情報が操作入力部１４によって入力され、記憶部１２の個人データベースに記憶される。
【００２４】
尚、ユーザの基本情報は個人情報管理システム１の通信部１５を介して外部から受信し、記憶部１２に記憶される構成であってもよい。
【００２５】
同様に、個人情報管理システム１の管理運営主体は、ショップとの間で予め個人情報管理システム１の利用契約を結び、ショップに対して、個人情報管理システム１にアクセスするための、ユーザ名、ユーザＩＤ、パスワード等を発行する。そして、ショップの名称、住所、電話番号、電子メールアドレス等の基本情報が操作入力部１４によって入力され、記憶部１２に記憶される。
【００２６】
尚、ショップの基本情報は個人情報管理システム１の通信部１５を介して外部から受信し、記憶部１２に記憶される構成であってもよい。
【００２７】
また、ショップはショップサーバ４にて管理されているＷｅｂページに個人情報管理システム１へリンクする個人情報管理システム利用ボタンを設定する。そして、ユーザがＷｅｂページ上で注文を行う際にこの個人情報管理システム利用ボタンをクリックすると、個人情報管理システム１に自動的にアクセスし、個人情報管理システム１の利用画面が表示されるように設定しておく。
【００２８】
このような環境下で、ステップＳ１において、個人情報管理システム１はネットワーク２を介してユーザ端末３から個人情報を受信する。そして、ステップＳ２において、受信した個人情報を記憶部１２に記憶する。
【００２９】
ユーザ端末３から個人情報管理システム１へネットワーク２を介してアクセスすると、ユーザ端末３の表示部２３に個人情報管理システム１へのエントランス画面（図示しない）が表示される。そして、同画面の指示に従って、認証画面（図示しない）に移り、ユーザ名、ユーザＩＤ、パスワードを入力し予め利用登録されたユーザであることが個人情報管理システム１にて認証されると、図６で示される個人情報管理システム１のメニュー画面へ移る。この画面上で新規登録が選ばれクリックされると、図７で示される個人情報の情報登録画面へと移る。この画面上で配達先情報がクリックされると、図８に示される配達先情報画面へと移る。基本情報には利用契約したユーザの基本情報が表示される。配達先情報の項目に、ユーザが電子商取引等で商品を購入した際の該商品の配達先を登録する。「基本情報と同じ」をチェックすると基本情報として登録されている情報の中から配達先情報に必要な項目がコピーされ表示される。一方、「異なる」をチェックすると、配達先情報を個別に登録することができる。そして、配達先情報の入力を終えると、同画面の最後にある「登録する」をクリックすることで、配達先情報が個人情報管理システム１に登録され、保管される。
【００３０】
次に、ステップＳ３において、個人情報管理システム１は、ネットワーク２を介してユーザ端末３から、保管されている個人情報をショップサーバ４へ送信する要求を受信する。
【００３１】
ユーザはユーザ端末３からネットワーク２を介してショップサーバ４へ商品購入のためにアクセスする。
【００３２】
ユーザ端末３からショップサーバ４にて管理されているショップのＷｅｂページにアクセスされると、ユーザ端末３の表示部２３にショップの注文画面が表示される。ユーザが商品購入のための注文入力を順次行い、図９に示される配達先登録画面に移る。同画面上で、直接配達先を入力せずに、同画面に用意された「個人情報管理システム利用」ボタンをクリックすると、ユーザ端末３はショップサーバ４からネットワーク２を介して個人情報管理システム１にアクセスし、ユーザ端末３の表示部２３には個人情報管理システム１へのエントランス画面が表示される。
【００３３】
エントランス画面から、図１０で示される認証画面へ移り、ユーザ名、ユーザＩＤ及びパスワードを入力する。入力されたデータが個人情報管理システム１にて認証されると、図１１で示される配達先情報の画面が表示され、ステップＳ１において登録された配達先情報の各項目が表示される。この画面でショップへ提供される配達先情報に含まれる個人情報の項目を確認し、ＯＫボタンをクリックする。そして、図１２で示されように、ショップへ提供される配達先情報の詳細を表示する配達先詳細表示画面に移り、同画面に用意された実行ボタンをクリックするとショップへの配達先情報送信が受け付けられる。そして、個人情報送信受付ＩＤが発行され（ステップＳ４）、図１３にて示されるように受付ＩＤ通知画面に移り個人情報送信受付ＩＤが表示される。同画面上に用意された「ショップへ戻る」のボタンがクリックされることで、発行された個人情報送信受付ＩＤがショップサーバ４に送信され（ステップＳ５）、一連の個人情報管理システム１を使用したショップへの配達先送信受付処理を終了する。その後、ユーザ端末３は個人情報管理システム１との接続を終了して、ショップのＷｅｂページの画面に戻り、ユーザがその他の必要項目をショップ画面上で入力することにより一連の処理を終了する。
【００３４】
次に、ステップＳ６において、個人情報管理システム１はショップサーバ４からネットワーク２を介して個人情報の送信要求を受信する。ショップは配達先情報を個人情報管理システム１から受信すべく、ショップサーバ４から個人情報管理システム１にログインする。個人情報管理システム１の認証画面（図示しない）上でユーザ名、ユーザＩＤ、及びパスワードを入力することで、利用契約されているショップであることが認証されると、配達先情報送信要求画面（図示しない）に移る。個人情報管理システム１から発行され受信した個人情報送信受付ＩＤを、配達先情報送信要求画面に入力することで、配達先情報の送信要求を行う。個人情報送信受付ＩＤは１件ずつでも複数まとめて入力されてもよい。
【００３５】
そして、ステップＳ７において、個人情報管理システム１にて、前記受信した個人情報送信受付ＩＤがショップサーバ４宛に発行されたＩＤであることが認証されると、配達先情報が個人情報管理システム１からショップサーバ４へ送信され、また図１４にて示される配達先表示画面のように表示されて一連の処理を終了する。
【００３６】
尚、上記の実施形態では、ステップＳ４において、個人情報送信受付ＩＤが個人情報管理システム１にて発行され、ステップＳ５において、ショップサーバ４に送信されたが、ショップサーバ４には個人情報送信受付ＩＤと共に、配達先情報も併せて送信することにより一連の処理を終了してもよい。このような構成では、ステップＳ５に続くステップＳ６を省略することができ、個人情報のショップへの迅速な送信が可能になる。
【００３７】
（第２の実施形態）
第２の実施形態に係る個人情報管理システム１の動作を図１５に示すフローチャートを参照して説明する。第２の実施形態は、個人情報管理システム１を介して、ユーザ間で個人情報の送受を行う場合である。この実施形態では、ユーザＡが個人情報の送り手、ユーザＢが個人情報の受け手になる。
【００３８】
金融機関等の個人情報管理システム１の管理運営主体が、予めユーザＡ及びユーザＢの両者との間で個人情報の保管契約を結び、両ユーザに対して、個人情報管理システム１にアクセスするための、ユーザ名、ユーザＩＤ、パスワード等を発行する。
【００３９】
このような環境下で、ステップＳ１１において、個人情報管理システム１はネットワーク２を介してユーザ端末３ａから個人情報を受信し、ステップＳ１２において、記憶部１２に前記受信した個人情報を記憶する。
【００４０】
ユーザＡがユーザ端末３ａを用いて個人情報管理システム１へネットワーク２を介してアクセスすると、ユーザ端末３ａの表示部２３に個人情報管理システム１へのエントランス画面が表示される。そして、同画面の指示に従って、認証画面に移り、ユーザ名、ユーザＩＤ、パスワードを入力し、予め利用登録されたユーザであることが個人情報管理システム１にて認証されると、図６で示される個人情報管理システム１のメニュー画面へ移る。この画面上で新規登録が選ばれると、図７で示される個人情報の登録画面へと移る。この画面上で個別情報が選択されクリックされると、図１６に示される個別情報の登録画面が表示される。ユーザＡは登録し保管したい個人情報をこの画面上で入力する。登録する情報は、文字情報でも、画像情報でも、或いはリストや書類を添付ファイルに収めたファイル情報であってもよい。情報の入力を終えると、同画面の最後にある「登録する」をクリックすることで個人情報管理システム１に個別個人情報を登録し保管することができる。
【００４１】
次に、ステップＳ１３において、ユーザＡはユーザ端末３ａからネットワーク２を介して個人情報管理システム１へアクセスし、保管した個人情報を他のユーザであるユーザＢへ送信するよう要求する。
【００４２】
ユーザ端末３ａから個人情報管理システム１へアクセスすると、ユーザ端末３ａの表示部２３に個人情報管理システム１へのエントランス画面が表示される。そして、同画面の指示に従って、認証画面に移り、ユーザ名、ユーザＩＤ、パスワードを入力し予め利用登録されたユーザであることが個人情報管理システム１にて認証されると、図６で示される個人情報管理システム１のメニュー画面へ移る。このメニュー画面上で表示された項目の中から送信要求を選択しクリックすると、図１７にて示される送信先登録画面へ移る。この画面上で、ユーザＡはユーザＢのユーザ名とユーザＩＤを入力し登録ボタンをクリックすると、個人情報管理システム１は、個別個人情報送信受付ＩＤを発行してユーザＡに送信する（ステップＳ１４）。ユーザＡは発行された個別個人情報送信受付ＩＤをユーザＢに対して通知する。
【００４３】
ステップＳ１５において、個人情報管理システム１はユーザＢのユーザ端末３ｂからネットワーク２を介して個人情報の送信要求を受信する。ユーザＢは個別個人情報を個人情報管理システム１から受信すべく、ユーザ端末３ｂから個人情報管理システム１にログインする。個人情報管理システム１の認証画面上でユーザ名、ユーザＩＤ、及びパスワードを入力することで、利用契約されているユーザＢであることが認証されると、図６に示される個人情報管理システムメニュー画面へ移る。そして同メニュー画面上で送信実行を選択しクリックし、送信実行画面（図示しない）に移る。ユーザＡから通知された個別個人情報送信受付ＩＤを、送信実行画面で入力することで、ユーザＡの個人情報のユーザＢへの送信要求を行う。
【００４４】
そして、ステップＳ１６において、個人情報管理システム１にて、前記受信した個別個人情報送信受付ＩＤがユーザＢ宛に発行されたＩＤであることが認証されると、ユーザＡの個別個人情報が個人情報管理システム１からユーザＢのユーザ端末３ｂへ送信されて一連の処理を終了する。
【００４５】
尚、上記の実施形態では、ステップＳ１４において、個人情報送信受付ＩＤが個人情報管理システム１にて発行されユーザ端末ａに送信されたが、それと共にユーザ端末ｂに個人情報を送信することにより一連の処理を終了してもよい。このような構成では、ステップＳ１４に続くステップＳ１５を省略することができ、個人情報の迅速な送信が可能になる。
【００４６】
上述したような構成により、ユーザＡが特定の個人情報を個人情報管理システムに保管しておき、保管した個人情報を該ユーザが指定する別のユーザＢに対して個人情報管理システムを介して確実かつ安全に通知することができる。
【００４７】
このような個人情報管理システムは色々な用途に使用でき、例えば、ユーザＡが遺言を個人情報管理システムに保管しておき、相続人である他のユーザＢに対して保管した遺言を通知するよう個人情報管理システムに登録し、個人情報送信受付ＩＤを取得する。そして、この個人情報送信受付ＩＤをしかるべき時期にユーザＢに通知することで、ユーザＢは個人情報管理システムに保管されたユーザＡの遺言を取得することができる。
【００４８】
尚、この発明は、上記実施形態に限定されるものではなく、実施段階ではその要旨を逸脱しない範囲で構成要素を変形して具体化することができる。また、上記実施形態に開示されている複数の構成要素の適宜な組合せにより種々の発明を形成できる。例えば，実施形態に示される全構成要素から幾つかの構成要素を削除してもよい。さらに、異なる実施形態にわたる構成要素を適宜組み合わせてもよい。
【００４９】
【発明の効果】
以上詳述したように、本発明によれば、インターネットを利用した電子商取引等において、配達先情報のような個人情報をインターネットを介して買い手は売り手であるショップに対して直接送信することなく、個人情報管理システムからショップに対して安全かつ確実に送信することができる。
【００５０】
また、一度、個人情報管理システムに配達先情報を登録すると、電子商取引の都度ショップのＷｅｂページに配達先情報を入力する手間が省けるので、利便性が高まる。
【００５１】
また、配達先情報が変更になった場合でも、個人情報管理システムの登録配達先を変更するだけでよく、利便性が高まる。
【００５２】
また、ユーザが個別に個人情報を個人情報管理システムに登録することができるので、広範囲にわたり、種々情報を金融機関の金庫に保管するかのように保管でき、保管した情報を他のユーザに対して個人情報管理システムを介して送信、通知することができる。
【図面の簡単な説明】
【図１】本発明の一実施形態による、個人情報管理システムが使用される環境を示す図である。
【図２】同実施の形態における個人情報管理システムの構成を示す機能ブロック図である。
【図３】同実施の形態におけるユーザ端末の構成を示す機能ブロック図である。
【図４】同実施の形態におけるショップサーバの構成を示す機能ブロック図である。
【図５】本発明の第１の実施形態の動作手順を示すフローチャートである。
【図６】同実施の形態の個人情報管理システムのメニュー画面を示す図である。
【図７】同実施の形態における個人情報管理システムの情報登録画面を示す図である。
【図８】同実施の形態における個人情報管理システムの配達先情報画面を示す図である。
【図９】同実施の形態における配達先登録画面を示す図である。
【図１０】同実施の形態における個人情報管理システムのユーザ認証画面を示す図である。
【図１１】同実施の形態における個人情報管理システムの配達先情報項目画面を示す図である。
【図１２】同実施の形態における個人情報管理システムの配達先情報詳細画面を示す図である。
【図１３】同実施の形態における個人情報管理システムの個人情報送信受付ＩＤ通知画面を示す図である。
【図１４】同実施の形態における個人情報管理システムの配達先情報画面を示す図である。
【図１５】本発明の第２の実施形態の動作手順を示すフローチャートである。
【図１６】同実施の形態における個別個人情報の入力画面を示す図である。
【図１７】同実施の形態における個別情報送信先入力画面を示す図である。
【符号の説明】
１…個人情報管理システム、２…ネットワーク、３…ユーザ端末、４…ショップサーバ、１１…制御部、１２…記憶部、１３…表示部、１４…操作入力部、１５…通信部
【図１】
2004295751.tif 000003
【図２】
2004295751.tif 000004
【図３】
2004295751.tif 000005
【図４】
2004295751.tif 000006
【図５】
2004295751.tif 000007
【図６】
2004295751.tif 000008
【図７】
2004295751.tif 000009
【図８】
2004295751.tif 000010
【図９】
2004295751.tif 000011
【図１０】
2004295751.tif 000012
【図１１】
2004295751.tif 000013
【図１２】
2004295751.tif 000014
【図１３】
2004295751.tif 000015
【図１４】
2004295751.tif 000016
【図１５】
2004295751.tif 000017
【図１６】
2004295751.tif 000018
【図１７】
2004295751.tif 000019